(57)【特許請求の範囲】
【請求項１】
数百メートルのトイレットペーパーを巻上げた大型ロールを収納するロールケースと、
前記ロールケースの下方に配置され、前記ロールケースから引き出されたトイレットペーパーに所定の荷重を加えるウエイト部材と、
前記ウエイト部材を上下方向に移動可能に支持する支持部材と、
前記ウエイト部材によって荷重が加えられるトイレットペーパーを挿通させ、前記トイレットペーパーを任意の位置で切断するペーパーカッター部と、
前記ウエイト部材と前記ペーパーカッター部との間に配置され、前記トイレットペーパーが前記ロールケースに向かって移動することを防ぐ逆戻り防止機構部と、
を備え、
前記ロールケースから引き出された前記トイレットペーパーを、前記ウエイト部材、前記逆戻り防止機構部、前記ペーパーカッター部の順に当接または挿通させ、
前記ペーパーカッター部から前記トイレットペーパーが引き出されたとき、
前記トイレットペーパーに生じる張力によって前記ウエイト部材が上方へ移動し、
前記ペーパーカッター部が前記トイレットペーパーを任意の位置で切断することによって前記張力が消滅すると、
前記ウエイト部材が自重によって下方へ移動して前記ロールケースから前記トイレットペーパーが引き出される、
ことを特徴とするトイレットペーパーホルダー。
【請求項２】
前記ロールケースは、室内壁部に設置され、
前記ペーパーカッター部は、前記ロールケースを覆う設置パネル部に設置され、
前記ウエイト部材および前記支持部材は、前記室内壁部と前記設置パネル部との間に配置される、
ことを特徴とする請求項１に記載のトイレットペーパーホルダー。
【請求項３】
前記ロールケースから引き出された前記トイレットペーパーを挿通させ、前記ロールケースから引き出された前記トイレットペーパーを緩やかにねじり、該トイレットペーパーの幅方向の向きを、前記ペーパーカッター部に挿通させることができるように変更するペーパーガイド部を備える、
ことを特徴とする請求項１または請求項２に記載のトイレットペーパーホルダー。
【発明の詳細な説明】
【技術分野】
【０００１】
本開示は、長さ数百メートルのトイレットペーパーを巻上げた大型ロールを収納するトイレットペーパーホルダーに関する。
【背景技術】
【０００２】
トイレットペーパーホルダーに、新しいトイレットペーパーを補充する頻度を抑えるため、長さ数百メートルのトイレットペーパーを巻上げた大型ロール（ジャンボロール）がある。この大型ロールは、主に、人の往来の多い場所で使用されることが多いが、自宅などに設置する要望も生じている。【０００３】
大型ロールを収納するホルダーとして、大型ロールを収納する箱型のケース本体に、大型ロールの回転を抑えるストッパーと、ストッパーにカッター刃を備えたものがある（例えば、特許文献１参照）。
このホルダーは、ケース本体の背面を壁部などにビス止めするように構成されており、壁等の表面に対して平行にトイレットペーパーが引き出されるように構成されている。
【先行技術文献】
【特許文献】
【０００４】
【特許文献１】実開昭６３−１９３８８号公報
【発明の概要】
【発明が解決しようとする課題】
【０００５】
トイレットペーパーの大型ロールは、新品等のうちはロール径が大きく、重量が重いため、トイレットペーパーを引き出す場合には通常の大きさのロールに比べて大きな力が必要になり、必要な長さを引き出すことが容易にできない場合がある。【０００６】
本開示は、上記の問題に鑑みなされたもので、収納した大型ロールから、使用者が容易にトイレットペーパーを引き出すことができるトイレットペーパーホルダーを提供する。
【課題を解決するための手段】
【０００７】
本開示に係るトイレットペーパーホルダーは、数百メートルのトイレットペーパーを巻上げた大型ロールを収納するロールケースと、前記ロールケースの下方に配置され、前記ロールケースから引き出されたトイレットペーパーに所定の荷重を加えるウエイト部材と、前記ウエイト部材を上下方向に移動可能に支持する支持部材と、前記ウエイト部材によって荷重が加えられるトイレットペーパーを挿通させ、前記トイレットペーパーを任意の位置で切断するペーパーカッター部と、前記ウエイト部材と前記ペーパーカッター部との間に配置され、前記トイレットペーパーが前記ロールケースに向かって移動することを防ぐ逆戻り防止機構部と、を備え、前記ロールケースから引き出された前記トイレットペーパーを、前記ウエイト部材、前記逆戻り防止機構部、前記ペーパーカッター部の順に当接または挿通させ、前記ペーパーカッター部から前記トイレットペーパーが引き出されたとき、前記トイレットペーパーに生じる張力によって前記ウエイト部材が上方へ移動し、前記ペーパーカッター部が前記トイレットペーパーを任意の位置で切断することによって前記張力が消滅すると、前記ウエイト部材が自重によって下方へ移動して前記ロールケースから前記トイレットペーパーが引き出されることを特徴とする。【０００８】
また、前記ロールケースは、室内壁部に設置され、前記ペーパーカッター部は、前記ロールケースを覆う設置パネル部に設置され、前記ウエイト部材および前記支持部材は、前記室内壁部と前記設置パネル部との間に設置されることを特徴とする。【０００９】
また、前記ロールケースから引き出された前記トイレットペーパーを挿通させ、前記ロールケースから引き出された前記トイレットペーパーを緩やかにねじり、該トイレットペーパーの幅方向の向きを、前記ペーパーカッター部に挿通させることができるように変更するペーパーガイド部を備えることを特徴とする。
【発明の効果】
【００１０】
本開示によれば、設置した大型ロールから、トイレットペーパーを容易に引き出すことができる。
【図面の簡単な説明】
【００１１】
【図１】本開示の実施の形態によるトイレットペーパーホルダーの概略構成を示す説明図である。
【図２】図１のトイレットペーパーホルダーからトイレットペーパーが引き出されるときの動作を示す説明図である。
【図３】図１のトイレットペーパーホルダーからトイレットペーパーが引き出された後の動作を示す説明図である。
【発明を実施するための形態】
【００１２】
以下、この発明の実施の一形態を説明する。
図１は、本開示の実施の形態によるトイレットペーパーホルダーの概略構成を示す説明図である。この図１は、トイレ室内等に大型のペーパーロール２を保持するトイレットペーパーホルダー１を設置した状態を示したもので、トイレットペーパーホルダー１が設置固定される室内壁部３ならびに設置パネル部４の図示を省略している。
【００１３】
トイレットペーパーホルダー１は、ペーパーロール２を収納するロールケース１０、ロールケース１０から引き出されたトイレットペーパー２ａを所定方向に導くペーパーガイド部１１、トイレットペーパー２ａに適当な荷重を加えるウエイト部材１２、ウエイト部材１２を支持する支持部材１３、トイレットペーパー２ａの引き出し方向を変更する誘導部材１４、挿通されているトイレットペーパー２ａを所望の長さに切断するペーパーカッター部１５、ペーパーカッター部１５からトイレットペーパー２ａが引き出されるとき、当該トイレットペーパー２ａがペーパーロール２等へ向かって逆戻りすることを防ぐ逆戻り防止機構部１６等を備えて構成されている。
【００１４】
ロールケース１０は、数百メートルの長さのトイレットペーパー２ａを巻上げたペーパーロール２を収納する大きさならびに形状を有し、ペーパーロール２から引き出されたトイレットペーパー２ａを外部へ送り出す開口部（図示省略）を備えている。
トイレットペーパー２ａは、一般的なトイレットペーパーロールと同様な幅（例えば、１１４ミリメートル）を有している。そのため、ペーパーロール２は、ロール径がロール幅よりも相当大きくなり、長さの短い筒状、または、略円盤状の形状となっている。
これに伴って、ロールケース１０も、長さの短い略筒状、または、略円盤状に形成されており、収納しているペーパーロール２の円状側面（ロール径方向に沿う面）が、トイレ室内などの室内壁部３の壁面に対して平行となるように、当該室内壁部３に固定されている。
【００１５】
ロールケース１０は、収納したペーパーロール２のロール中心孔に挿通させる（略筒状の）支持軸部１０ａが設けられている。支持軸部１０ａは、室内壁部３の壁面から垂直に突出するように設置されている。
また、ロールケース１０は、収納されているペーパーロール２から引き出されるトイレットペーパー２ａをガイドし、このトイレットペーパー２ａが幅方向にしわ等が生じる、または、もつれることを防ぐように構成された送り出しガイド部１０ｂを備えている。
【００１６】
ペーパーガイド部１１は、ロールケース１０とウエイト部材１２（支持部材１３）との間に配置され、例えば、ロールケース１０の下方であって、ウエイト部材１２の上方に配置されるように、室内壁部３に設置固定されている。
ペーパーガイド部１１は、ロールケース１０に収納されているペーパーロール２の幅方向が、室内壁部３の壁面に対して鉛直となっていることから、当該ペーパーガイド部１１に挿通されたトイレットペーパー２ａを、緩やかにねじるように構成されている。
即ち、ペーパーガイド部１１は、ロールケース１０の外部へ引き出されたトイレットペーパー２ａの幅方向が、室内壁部３の壁面ならびに設置パネル部４の表面に対して平行となるように、ロールケース１０から引き出されて行くトイレットペーパー２ａに当接するように構成されている。換言すると、ペーパーガイド部１１は、後述する設置パネル部４に設置されたペーパーカッター部１５に挿通させることができるように、トイレットペーパー２ａの幅方向の向きを変更するように構成されている。
【００１７】
ウエイト部材１２は、トイレットペーパー２ａがちぎれないように当接する形状に形成されており、例えば、トイレットペーパー２ａに加える荷重が適当に分散する径の棒状、略球状、略楕円形状などに形成されている。ウエイト部材１２の表面（トイレットペーパー２ａに当接する面）は、当接したトイレットペーパーがちぎれることなく移動することができるように滑らかに形成されている。
また、ウエイト部材１２は、例えば、ロールケース１０に収納されているペーパーロール２からトイレットペーパー２ａを引き出すことができ、なおかつ、トイレットペーパー２ａの上方から荷重を加えた場合に、トイレットペーパー２ａを形成している紙繊維の絡み合いが耐えられる（トイレットペーパー２ａの強度を超えない）重さを有している。
支持部材１３は、例えば、棒状のウエイト部材１２の長手両端を支持し、当該ウエイト部材１２が抵抗なく（ウエイト部材１２に当接しているトイレットペーパー２ａがちぎれるような抵抗が生じないように）、上下方向に（室内壁部３の壁面に沿って）滑らかに移動するように構成されている。
【００１８】
誘導部材１４は、ウエイト部材１２とペーパーカッター部１５との間に配置され、例えば、室内壁部３に設置固定されたロールケース１０、ロールケース１０の下方に配置されたウエイト部材１２（支持部材１３）等を覆い隠す設置パネル部４に設けられている。詳しくは、ペーパーロール２から引き出してウエイト部材１２に当接させたトイレットペーパー２ａを、トイレ室内側（使用者のいる側）へ引き出す設置パネル部４の開口部等に設置されている。
誘導部材１４は、例えば、ウエイト部材１２（ならびに逆戻り防止機構部１６）の配置位置よりも上方に設置され、ウエイト部材１２に当接して上方に向かって引き出されたトイレットペーパー２ａが、設置パネル部４のトイレ室内側において下方へ向かって移動するように（引き出し方向を変更するように）構成されている。
【００１９】
具体的には、誘導部材１４は、例えば、下方から上方へ向かって移動するトイレットペーパー２ａがちぎれない円周半径の当接面（円周面）を有し、トイレットペーパー２ａの下側に当接するように、設置パネル部４に設けられている（ウエイト部材１２とペーパーカッター部１５との間に配置されている）。
なお、誘導部材１４は、トイレットペーパー２ａの引き出し移動に伴って回転するように構成されてもよい。
【００２０】
ペーパーカッター部１５は、例えば、設置パネル部４のトイレ室内側に設置固定され、誘導部材１４の下方に配置されており、当該ペーパーカッター部１５に挿通させたトイレットペーパー２ａに当接して、当該トイレットペーパー２ａを押さえ付けるように構成されている。
また、ペーパーカッター部１５は、使用者の所望する位置でトイレットペーパー２ａを切断するカッター刃部（図示省略）を備えている。
【００２１】
逆戻り防止機構部１６は、ウエイト部材１２と誘導部材１４との間に配置されており、例えば、後述するようにウエイト部材１２が上方へ移動したとき、上限に到達したウエイト部材１２よりも上方に位置するように配置されている。
また、逆戻り防止機構部１６は、ウエイト部材１２に当接しているトイレットペーパー２ａが、誘導部材１４ならびにペーパーカッター部１５へ向かって自在に移動することができるように、即ち、トイレットペーパー２ａを一方向へ送り出すように構成されている。
詳しくは、逆戻り防止機構部１６は、例えば、逆戻り防止機構部１６に挿通されたトイレットペーパー２ａ（ロールケース１０から引き出されたトイレットペーパー２ａ）が、逆戻り防止機構部１６の所定部位に当接して、ペーパーカッター部１５ならびに誘導部材１４側から、ロールケース１０もしくはペーパーロール２へ向かって逆戻りすることを防ぐように構成されている。
【００２２】
次に動作について説明する。
図２は、図１のトイレットペーパーホルダー１からトイレットペーパー２ａが引き出されるときの動作を示す説明図である。
この図２は、トイレットペーパーホルダー１を側方から見た場合の、トイレットペーパーホルダー１を構成する各部の概略配置を示したもので、使用者等がペーパーカッター部１５からトイレットペーパー２ａを引き出す操作を行ったときの、各部の配置位置ならびに動作を示している。
なお、ロールケース１０、ペーパーガイド部１１等は、図２ならびに図３に示したように、トイレなどの室内壁部３に設置固定されており、誘導部材１４、ペーパーカッター部１５等は、室内壁部３の前方（室内側）に設けられた設置パネル部４に設置固定されている。
【００２３】
ロールケース１０から引き出されたトイレットペーパー２ａは、ペーパーガイド部１１、ウエイト部材１２、逆戻り防止機構部１６、誘導部材１４、ペーパーカッター部１５の順に当接する（または挿通される）。
即ち、使用者等が、ペーパーカッター部１５に挿通されているトイレットペーパー２ａを引き出すと、ロールケース１０から引き出されたトイレットペーパー２ａの任意の部分は、ペーパーガイド部１１、ウエイト部材１２、逆戻り防止機構部１６、誘導部材１４、ペーパーカッター部１５の順で、当該各部へ到達するように移動する。
【００２４】
使用者等が、ペーパーカッター部１５からトイレットペーパー２ａを所望する長さとなるまで引き出すとき、即ち、図２の矢印Ａが示す方向へペーパーカッター部１５からトイレットペーパー２ａが引き出されるとき、図２に示したトイレットペーパー２ａ全体に引っ張り力が作用し、誘導部材１４、逆戻り防止機構部１６、ウエイト部材１２の近傍等に位置するトイレットペーパー２ａがペーパーカッター部１５へ向かって移動する。
上記のようにトイレットペーパー２ａが移動するとき、当該トイレットペーパー２ａに張力が生じ、トイレットペーパー２ａの上側に当接しているウエイト部材１２は、矢印Ｂの示す方向に移動させられる。
具体的には、ペーパーカッター部１５へ向かってトイレットペーパー２ａが移動すると、ペーパーロール２と誘導部材１４（逆戻り防止機構部１６）との間に位置するトイレットペーパー２ａの長さが短くなるとともに上記の張力が生じ、ウエイト部材１２が上方へ持ち上げられる。
【００２５】
トイレットペーパー２ａがペーパーカッター部１５から引き出されるときに生じた張力によって上方へ移動するウエイト部材１２は、支持部材１３によって所定の高さよりも高い位置へ到達しないように制限される。
換言すると、ウエイト部材１２は、支持部材１３によって所定の高さ以上に(例えば、逆戻り防止機構部１６よりも高い位置まで)上昇しないように支持されている。
このとき（ウエイト部材１２が上方へ持ち上げられるとき、もしくは、ペーパーカッター部１５からトイレットペーパー２ａが引き出されるとき）、逆戻り防止機構部１６は、当接している（挿通されている）トイレットペーパー２ａを、滑らかに誘導部材１４へ向かって送り出す。
【００２６】
なお、ウエイト部材１２が、前述の上限の位置に達した状態となった後においても、使用者が、ペーパーカッター部１５からトイレットペーパー２ａを継続して引き出した場合には、上記の上限の位置にウエイト部材１２が維持された状態で、ロールケース１０からトイレットペーパー２ａが引き出されて、ペーパーカッター部１５へ向かって移動する。
【００２７】
図３は、図１のトイレットペーパーホルダー１からトイレットペーパー２ａが引き出された後の動作を示す説明図である。
この図３は、トイレットペーパーホルダー１を側方から見た場合の、トイレットペーパーホルダー１を構成する各部の概略配置を示したもので、使用者等がペーパーカッター部１５からトイレットペーパー２ａを引き出して、所望の長さに（任意の位置で）切断した後の、各部の配置位置ならびに動作を示している。
【００２８】
使用者が、ペーパーカッター部１５を用いてトイレットペーパー２ａの所望の位置を切断すると、トイレットペーパー２ａに生じていた張力が消滅する。即ち、ウエイト部材１２を上方へ持ち上げていた力が消滅する。
上記の張力が消滅すると、ウエイト部材１２は、自重（トイレットペーパー２ａに加えている荷重）によって、矢印Ｃが示す方向へ移動する（下方へ降下する）。
このとき、ウエイト部材１２が矢印Ｃの方向へ移動することによって、逆戻り防止機構部１６に当接している（挿通されている）トイレットペーパー２ａに、下方へ向かって（ウエイト部材１２へ向かって）引っ張り力が発生する。
この引っ張り力が発生すると、逆戻り防止機構部１６は、例えば、逆戻り防止機構部１６の所定の部位が強くトイレットペーパー２ａに当接し、当該トイレットペーパー２ａを押さえ込んで移動することを防ぐ。即ち、トイレットペーパー２ａがロールケース１０側へ移動する（逆戻りする）ことを防ぐ。
【００２９】
上記のように、トイレットペーパー２ａの逆戻り防止機構部１６に当接している（挿通されている）部分が移動しない状態となって、ウエイト部材１２が自重によって下方に（矢印Ｃの示す方向に）移動すると、ペーパーロール２とウエイト部材１２との間に位置するトイレットペーパー２ａの長さが長くなる。
即ち、ウエイト部材１２が下方へ移動することにより、ロールケース１０（ペーパーロール２）から新たにトイレットペーパー２ａが引き出される。
【００３０】
なお、ウエイト部材１２が下方へ移動を開始することを感知し、ウエイト部材１２が下方へ移動することを支援するアシスト機構等を支持部材１３に備えてもよい。
このアシスト機構等は、ウエイト部材１２がトイレットペーパー２ａへ加える荷重の大きさを調整して、荷重を加えているうちにトイレットペーパー２ａがちぎれることを抑制するように構成する。
また、このアシスト機構等は、回転させるときに大きな力（例えば、ウエイト部材１２の荷重よりも大きな力）が必要な大型ロールのペーパーロール２から、トイレットペーパー２ａを滑らかに引き出すことができるように、ウエイト部材１２が下方へ移動するときの荷重の大きさを調整するように構成してもよい。
【００３１】
また、トイレットペーパーホルダー１は、ウエイト部材１２が下方へ移動する距離によって、ロールケース１０から引き出されるトイレットペーパー２ａの長さが設定される。
そのため、支持部材１３は、十分な長さのトイレットペーパー２ａが、ロールケース１０（ペーパーロール２）から引き出されるように、ウエイト部材１２を上下方向に移動させることができる（移動距離を有する）ように構成されている。
【００３２】
なお、逆戻り防止機構部１６に代えて、当該逆戻り防止機構部１６の機能を誘導部材１４が備えるように構成してもよい。即ち、トイレットペーパーホルダー１に逆戻り防止機構部１６を備えず、誘導部材１４のトイレットペーパー２ａに当接する部分を、トイレットペーパー２ａがロールケース１０側へ逆戻りさせないように構成してもよい。
ウエイト部材１２が下方へ向かって（ウエイト部材１２へ向かって）移動すると、トイレットペーパー２ａに引っ張り力が作用する。この引っ張り力は、誘導部材１４側からウエイト部材１２へ向かって作用し、トイレットペーパー２ａの誘導部材１４に当接する部分は、当該誘導部材１４に強く押し付けられる。
このように、強く押し付けられることにより、誘導部材１４の表面とトイレットペーパー２ａとの間に適当な強さ（トイレットペーパー２ａがちぎれない程度）の摩擦力が生じ、誘導部材１４とウエイト部材１２との間に位置するトイレットペーパー２ａは、ウエイト部材１２へ向かって移動することなく静止固定される。
【００３３】
また、この誘導部材１４のトイレットペーパー２ａに当接する部分は、例えば、トイレットペーパー２ａがウエイト部材１２側からペーパーカッター部１５へ向かって移動する（ウエイト部材１２が上方へ移動する）ときには、誘導部材１４とトイレットペーパー２ａとの間に生じる摩擦力が小さくなるように構成するとよい。
またさらに、ウエイト部材１２が上方へ移動するとき、ウエイト部材１２がトイレットペーパー２ａへ加える荷重が小さくなる機構等を、適当な部分に備えることが好ましい。
【００３４】
なお、誘導部材１４を、トイレットペーパー２ａの移動に伴って回転する部分を備えて構成した場合には、誘導部材１４の回転する部分（トイレットペーパー２ａに当接する部分）が、一の方向のみに回転するように構成する。
具体的には、上記の回転する部分等に、誘導部材１４に当接するトイレットペーパー２ａがペーパーカッター部１５へ向かって移動する方向に回転し、誘導部材１４に当接するトイレットペーパー２ａがウエイト部材１２へ向かって移動する方向には回転させない機構等を備える。
【００３５】
以上のように、本実施の形態によれば、逆戻り防止機構部１６等によって、ロールケース１０から引き出されたトイレットペーパー２ａが逆戻りすることを防ぎ、ウエイト部材１２が下方へ移動することによって、ロールケース１０（ペーパーロール２）からトイレットペーパー２ａが引き出されるように構成したので、使用者等は、ペーパーカッター部１５から比較的小さな力でトイレットペーパー２ａを引き出すことが可能になる。
【００３６】
また、ロールケース１０、ウエイト部材１２、支持部材１３等を、設置パネル部４で覆い隠すように配置したので、トイレ等の室内の美観を良好にすることができる。
また、ペーパーロール２の円状側面が、室内壁部３の壁面に対して平行となるように、ロールケース１０等を配置したので、トイレットペーパーホルダー１を設置することによって、トイレ等の室内空間が狭くなることを抑制することができる。
【符号の説明】
【００３７】
１  トイレットペーパーホルダー
２  ペーパーロール
３  室内壁部
４  設置パネル部
１０  ロールケース
１０ａ  支持軸部
１０ｂ  送り出しガイド部
１１  ペーパーガイド部
１２  ウエイト部材
１３  支持部材
１４  誘導部材
１５  ペーパーカッター部
１６  逆戻り防止機構部
【要約】
収納した大型ロールから、使用者が容易にトイレットペーパーを引き出すことができるトイレットペーパーホルダーを提供する。このトイレットペーパーホルダーは、ペーパーカッター部１５からトイレットペーパー２ａが引き出されたとき、トイレットペーパー２ａに生じる張力によってウエイト部材１２が上方へ移動し、ペーパーカッター部１５がトイレットペーパー２ａを切断して張力が消滅すると、ウエイト部材１２が自重によって下方へ移動してロールケース１０からトイレットペーパー２ａが引き出される。【図１】
0006802600.tif 000002
【図２】
0006802600.tif 000003
【図３】
0006802600.tif 000004